(57)【要約】      （修正有）【課題】便器内を効果的に洗浄することができる洋式便器を提供する。【解決手段】洋式便器１００は、ＦＲＰ製の便器本体１０１を備えている。便器本体１０１は、便座載置部１０３とボウル部１０４とで構成されている。便座載置部１０３は、便器本体１０１の上面に環状に形成されているとともに平らな平面状に形成されている。ボウル部１０４は、便座載置部１０３より内側部分に凹状に窪んだ器状に形成されており、上側平面部１０５、段部１０６および下側斜面部１０７を備えている。上側平面部１０５は、略垂直な平面状に形成されており、後端部に吐水ノズル１１０を備えている。段部１０６は、ボウル部１０４の内側に張り出して形成されている。下側斜面部１０７は、内側に向かって曲面状に湾曲する傾斜面で構成されている。吐水ノズル１１０は、洗浄水を下方に吐出する下方吐出口１１２および左右方向にそれぞれ吐出する側方吐出口を備えている。【選択図】図１１
0003212338.tif 000002
【実用新案登録請求の範囲】
【請求項１】
使用者が腰掛ける便座が載置される環状の便座載置部と、
前記便座載置部の内側に凹状に窪んで形成されて汚物を受け止めるとともに同汚物を排出するための排出口を有したボウル部と、
前記ボウル部の壁面上部に設けられて同ボウル部内に洗浄水を吐水する吐水ノズルとを備え、
前記吐水ノズルは、
前記ボウル部の後端部における左右方向中央部に設けられて、
前記洗浄水を下方に吐出する下方吐出口と、
前記洗浄水を前記ボウル部の壁面の左右方向にそれぞれ吐出する側方吐出口とを備えることを特徴とする洋式便器。
【請求項２】
請求項１に記載した洋式便器において、
前記ボウル部は、
前記便座載置部の内縁部の全周から下方に平面状に延びる上側平面部と、
前記平面下垂部の下端部から前記排出口に向かって傾斜または湾曲して形成された下側斜面部とを有し、
前記吐水ノズルは、
前記上側平面部に取り付けられていることを特徴とする洋式便器。
【請求項３】
請求項２に記載した洋式便器において、
前記ボウル部は、
前記吐水ノズル側から前端部に向かって前記上側平面部と前記下側斜面部との間に内側に張り出した段部を備えていることを特徴とする洋式便器。
【請求項４】
請求項３に記載した洋式便器において、
前記段部は、
前記吐水ノズル側から前端部に向かって下り傾斜に形成されていることを特徴とする洋式便器。
【請求項５】
請求項２または請求項３に記載した洋式便器において、
前記段部は、
前記吐水ノズル側から前端部に向かって突出幅が狭く形成されていることを特徴とする洋式便器。
【請求項６】
請求項１ないし請求項５のうちのいずれか１つに記載した洋式便器において、
前記吐水ノズルは、
前記ボウル部に対して着脱自在に形成されていることを特徴とする洋式便器。
【請求項７】
請求項１ないし請求項６のうちのいずれか１つに記載した洋式便器において、
前記吐水ノズルは、
前記ボウル部に対して回転摺動可能なしまりばめのはめあいで圧入された状態で取り付けられていることを特徴とする洋式便器。
【考案の詳細な説明】
【技術分野】
【０００１】
本考案は、使用者が腰掛けた状態で用を足す洋式便器に関する。
【背景技術】
【０００２】
従来から、使用者が腰掛けた状態で用を足す洋式便器においては、便器内をより少ない水量で効果的に洗浄するための洗浄水の吐出形態が種々提案されている。例えば、下記特許文献１には、洋式便器の後端部における右側または左側に洗浄水を略水平方向に吐出する第一吐出部を備えた洋式便器が開示されている。
【先行技術文献】
【特許文献】
【０００３】
【特許文献１】特開２００２−２６６４１２号公報
【０００４】
しかしながら、上記特許文献１に記載された洋式便器においては、便器内における後端部の左右の一方から洗浄水が吐出される片流れ方式であるため、吐出部分に近い部分では洗浄水の水流が速くこの水流の下方部分の洗浄効果が低いとともに、吐出部分から最も遠い他方側では洗浄水の勢いも低下して洗浄効果が低いという問題がある。
【考案の概要】
【０００５】
本考案は上記問題に対処するためなされたもので、便器内を効果的に洗浄することができる洋式便器を提供することにある。
【０００６】
上記目的を達成するため、本考案の特徴は、使用者が腰掛ける便座が載置される環状の便座載置部と、便座載置部の内側に凹状に窪んで形成されて汚物を受け止めるとともに同汚物を排出するための排出口を有したボウル部と、ボウル部の壁面上部に設けられて同ボウル部内に洗浄水を吐水する吐水ノズルとを備え、吐水ノズルは、ボウル部の後端部における左右方向中央部に設けられて、洗浄水を下方に吐出する下方吐出口と、洗浄水をボウル部の壁面の左右方向にそれぞれ吐出する側方吐出口とを備えることにある。
【０００７】
このように構成した本考案の特徴によれば、洋式便器は、ボウル部内における後端部の左右方向中央部に左右方向および下方に向けてそれぞれ洗浄水を吐出する吐水ノズルを設けているため、従来の便器よりも各吐出口における洗浄水の吐出力を下げることができ吐出部分に近い部分の洗浄効果を高めることができるとともに、ボウル部内の前端部の中央部に左右方向からそれぞれ流れてくる洗浄水の衝突によって吐水ノズルから最も離れた部分の洗浄効果も高めることができる。
【０００８】
また、本考案の他の特徴は、前記洋式便器において、ボウル部は、便座載置部の内縁部の全周から下方に平面状に延びる上側平面部と、平面下垂部の下端部から排出口に向かって傾斜または湾曲して形成された下側斜面部とを有し、吐水ノズルは、上側平面部に取り付けられていることにある。
【０００９】
このように構成した本考案の他の特徴によれば、洋式便器は、ボウル部の上部部分に形成された上側平面部が便座載置部の内縁部の全周から下方に平面状に延びて形成されているため、汚れが付着し難いとともに付着した汚れの発見および除去が容易となり衛生環境を保つことができる。
【００１０】
また、本考案の他の特徴は、前記洋式便器において、ボウル部は、吐水ノズル側から前端部に向かって上側平面部と下側斜面部との間に内側に張り出した段部を備えていることにある。
【００１１】
このように構成した本考案の他の特徴によれば、洋式便器は、ボウル部における吐水ノズル側から前端部に向かって上側平面部と下側斜面部との間に内側に張り出した段部が設けられているため、左右の側方吐出口からそれぞれ吐出された洗浄水を効果的にボウル部の先端部に案内して洗浄効果を高めることができる。
【００１２】
また、本考案の他の特徴は、前記洋式便器において、段部は、吐水ノズル側から前端部に向かって下り傾斜に形成されていることにある。
【００１３】
このように構成した本考案の他の特徴によれば、洋式便器は、段部が吐水ノズル側から前端部に向かって下り傾斜に形成されているため、左右の側方吐出口から吐出された洗浄水をより効果的にボウル部の前端部に案内することができるとともに、左右の水流が衝突する向きおよび衝突部分を下方に下げることができ上方への水跳ねを防止することができる。
【００１４】
また、本考案の他の特徴は、前記洋式便器において、段部は、吐水ノズル側から前端部に向かって突出幅が狭く形成されていることにある。
【００１５】
このように構成した本考案の他の特徴によれば、洋式便器は、段部が吐水ノズル側から前端部に向かって突出幅が狭く形成されているため、左右の側方吐出口付近での洗浄水の落下を防止しつつ前端部側では積極的に洗浄水を落下させて洗浄効果を高めることができる。
【００１６】
また、本考案の他の特徴は、前記洋式便器において、吐水ノズルは、ボウル部に対して着脱自在に形成されていることにある。
【００１７】
このように構成した本考案の他の特徴によれば、洋式便器は、吐水ノズルがボウル部に対して着脱自在に形成されているため、吐水ノズルを取り外してボウル部を清掃することができる。また、本考案に係る洋式便器においては、吐水ノズルのメンテナンスが容易となるとともに汚損した吐水ノズルを新品に容易に交換することができる。
【００１８】
また、本考案の他の特徴は、前記洋式便器において、吐水ノズルは、ボウル部に対して回転摺動可能なしまりばめのはめあいで圧入された状態で取り付けられていることにある。
【００１９】
このように構成した本考案の他の特徴によれば、洋式便器は、吐水ノズルがボウル部に対して回転摺動可能なしまりばめのはめあいで圧入された状態で取り付けられているため、吐水ノズルを回転変位させることにより下方吐出口および側方吐出口の各向きを調整することができるため、ボウル部の形状または設置した際の傾斜などを考慮して洗浄水の流れを設定でき洗浄効果を高めることができる。
【図面の簡単な説明】
【００２０】
【図１】本考案に係る洋式便器の外観構成の概略を示す斜視図である。
【図２】図１示す洋式便器における便フタを省略した斜視図である。
【図３】図２に示す洋式便器の外観構成の概略を示す平面図である。
【図４】図３に示す４−４線から見た洋式便器の内部構造の概略を示す断面図である。
【図５】図３に示す５−５線から見た洋式便器の内部構造の概略を示す断面図である。
【図６】図２に示す吐水ノズルの外観構成の概略を示す正面図である。
【図７】図２に示す吐水ノズルの外観構成の概略を示す底面図である。
【図８】図２に示す吐水ノズルの外観構成の概略を示す側面図である。
【図９】図６に示す９−９線から見た吐水ノズルの内部構造の概略を示す断面図である。
【図１０】図３に示す洋式便器内を洗浄水が流れる様子を模式的に示した説明図である。
【図１１】図４に示す洋式便器内を洗浄水が流れる様子を模式的に示した説明図である。
【考案を実施するための形態】
【００２１】
以下、本考案に係る洋式便器の一実施形態について図面を参照しながら説明する。図１は、本考案に係る洋式便器１００の外観構成の概略を示す斜視図である。また、図２は、図１示す洋式便器１００における便フタ１２０を省略した斜視図である。また、図３は、図２に示す洋式便器１００の外観構成の概略を示す平面図である。また、図４は、図３に示す４−４線から見た洋式便器１００の内部構造の概略を示す断面図である。また、図５は、図３に示す５−５線から見た洋式便器１００の内部構造の概略を示す断面図である。なお、本明細書において参照する各図は、本考案の理解を容易にするために一部の構成要素を誇張して表わすなど模式的に表している。このため、各図面間および各構成要素間の寸法や比率などは異なっていることがある。この洋式便器１００は、屋外において下水道工事を伴わずに設置、移動または撤去ができる簡易設置型のトイレの室内に設けられるものである。
【００２２】
（洋式便器１００の構成）
洋式便器１００は、主として、便器本体１０１と便フタ１２０とを備えて構成されている。便器本体１０１は、用を足すために腰掛けた姿勢の使用者（図示せず）を支持するための構造体であり、人の膝程度の高さで下方から上方に向かって広がって延びる台状に形成されている。本実施形態においては、便器本体１０１は、ＦＲＰ（繊維強化プラスチック）材によって柱状に延びる外表面の内側に空洞部１０２を有して構成されている。この便器本体１０１には、便座載置部１０３およびボウル部１０４をそれぞれ備えている。
【００２３】
便座載置部１０３は、図示しない便座が載置される部分であり、便器本体１０１の上面に環状に形成されている。この場合、便座載置部１０３は、平らな平面状に形成されている。本実施形態においては、便座載置部１０３は、平面視で略タマゴ型に形成されている。この便座載置部１０３には、洋式便器１００の後方側の後端部上に便フタ１２０が同後端部側を基点として回動自在に取り付けられている。
【００２４】
ボウル部１０４は、使用者が排泄した汚物（図示せず）を受け止める部分であり、便座載置部１０３より内側部分に凹状に窪んだ器状に形成されている。このボウル部１０４は、主として、上側平面部１０５、段部１０６および下側斜面部１０７とで構成されている。
【００２５】
上側平面部１０５は、ボウル部１０４における最上部に形成された部分であり、便座載置部１０３の内縁部から下垂した平面状に形成されている。換言すれば、上側平面部１０５は、便座載置部１０３の内縁部から下垂する略垂直な壁が同内縁部に沿って帯状に延びて形成されている。この場合、上側平面部１０５は、本実施形態においては、下方に向かってボウル部１０４の内側に向かって若干傾斜しているが、完全な垂直な壁状に形成されていてもよい。
【００２６】
この上側平面部１０５は、平面視において後端部が左右方向に直線状に延びた後、前方に向かって凸状に張り出す曲線状に延びて前端部が丸みを持って尖った略タマゴ型に形成されている。この場合、上側平面部１０５における後端部には、左右方向中央部に貫通孔１０５ａが形成されており、この貫通孔１０５ａに後述する吐水ノズル１１０が取り付けられている。
【００２７】
段部１０６は、吐水ノズル１１０から吐水される洗浄水をボウル部１０４の前端部まで導くための部分であり、上側平面部１０５の下端部と下側斜面部１０７との間に内側に向かって張り出す傾斜面で構成されている。より具体的には、段部１０６は、上側平面部１０５の下端部から内側方向かつ下方に張り出す傾斜面で平面視で環状に形成されている。
【００２８】
この場合、段部１０６は、ボウル部１０４内における後端部から前端部に向かって下がる下り傾斜で形成されている。また、段部１０６は、ボウル部１０４内における後端部から前端部に向かって張り出し幅が狭くなるように形成されている。
【００２９】
下側斜面部１０７は、使用者が排泄した汚物（図示せず）をフラッパ１０８に導くため部分であり、段部１０６の下端部から内側に向かって曲面状に湾曲する傾斜面で構成されている。この場合、下側斜面部１０７における最底部には排出口１０７ａが形成されている。排出口１０７ａは、ボウル部１０４内から汚物を排出するための貫通孔であり、ボウル部１０４内における前後方向中央部よりも後方側に形成されている。
【００３０】
これにより、下側斜面部１０７は、排出口１０７ａよりも後方側が前方側よりも急斜面で形成されているとともに左右対称に形成されている。すなわち、ボウル部１０４は、左右対称に形成されている。排出口１０７ａの下端部は、フラッパ１０８で塞がれている。
【００３１】
フラッパ１０８は、ボウル部１０４の最底部を構成しつつ同最底部上に溜まった汚物をボウル部１０４外に排出するための部品であり、板状体の縁部が起立した皿状に形成されている。このフラッパ１０８は、開閉機構１０８ａによって排出口１０７ａを開閉自在に塞いでいる。
【００３２】
開閉機構１０８ａは、回転軸およびウエイトなどを備えて構成されており、フラッパ１０８上に溜まった汚物または洗浄水の重さによってフラッパ１０８を下方に傾斜させて排出口１０７ａを開いて汚物を下方に落下させるとともに、汚物または洗浄水の落下により軽くなったフラッパ１０８を上昇させて排出口１０７ａを塞ぐ。この開閉機構１０８ａは、フラッパ台座１０８ｂによって支持されている。なお、図４および図５においては、フラッパ１０８および開閉機構１０８ａ（図５において図示せず）をそれぞれ二点鎖線で示している。
【００３３】
フラッパ台座１０８ｂは、フラッパ１０８を含む開閉機構１０８ａを支持するとともに、フラッパ１０８を介して排出された汚物を図示しない便槽に導く汚物配管１０８ｃを備えて箱型に形成されている。このフラッパ台座１０８ｂは、便器本体１０１の空洞部１０２内に取り付けられている。
【００３４】
吐水ノズル１１０は、図６〜図９にそれぞれ示すように、ボウル部１０４内に洗浄水を吐出するための部品であり、樹脂材（例えば、ＡＥＳ樹脂など）を中空の箱型に形成して構成されている。より具体的には、吐水ノズル１１０は、主として、導水部１１１、下方吐出口１１２および側方吐出口１１３をそれぞれ備えて構成されている。なお、図６においては、吐水ノズル１１０の主たる内部構造を破線で示している。
【００３５】
導水部１１１は、給水管１１４に接続して吐水ノズル１１０内に洗浄水を導くための部分であり、管状に形成されている。この場合、導水部１１１は、外周面に給水管１１４内に挿し込まれた際における抜け止めとなるように鋸刃状の返し片が環状に形成されている。給水管１１４は、上水道または洗浄水貯留タンク（図示せず）から洗浄水（例えば、水）をボウル部１０４まで導くための配管である。この給水管１１４の先端部は、弾性のあるゴム材で構成されており、ボウル部１０４に形成された貫通孔１０５ａに嵌め込まれている。すなわち、導水部１１１は、給水管１１４の先端部に対して回転摺動可能なしまりばめのはめあいで圧入されて連結されている。
【００３６】
下方吐出口１１２は、吐水ノズル１１０の下方に向けて洗浄水を吐出するための部分であり、吐水ノズル１１０の下面に開口して形成されている。本実施形態においては、下方吐出口１１２は、洋式便器１００の左右方向に延びる細長い方形の長孔で構成されている。
【００３７】
側方吐出口１１３は、洋式便器１００の左右方向にそれぞれ洗浄水を吐出するための部分であり、下方吐出口１１２の上方の左右両側に開口して形成されている。この場合、挿左右の各側方吐出口１１３は、水平方向よりも若干下方に向いた斜め下方にそれぞれ開口している。
【００３８】
便フタ１２０は、便器本体１０１の上面を開閉自在に覆う樹脂製の部品であり、便座載置部１０３を覆う平面視でタマゴ型の板状体の縁部が下方に下垂した形状に形成されている。この場合、便フタ１２０の内側には、使用者が腰けるＵ字状またはＯ字状の便座（図示せず）が設けられている。
【００３９】
便フタ１２０は、便器本体１０１の後端部にヒンジを介して回動自在に取り付けられており、使用者によって跳ね上げることができるように構成されている。この場合、便フタ１２０の内側に設けられた便座は、便座載置部１０３に対して便フタ１２０とは独立して跳ね上げることができるように構成されている。
【００４０】
（洋式便器１００の作動）
次に、このように構成した洋式便器１００の作動について説明する。この洋式便器１００は、例えば、図示しない仮設トイレ内に設置される。この場合、架設トイレ内には、ボウル部１０４内に洗浄水を供給するための手操作式または足踏み式の洗浄操作子が設けられている。したがって、使用者は、この洋式便器１００で用を足した後、洗浄操作子を操作することにより吐水ノズル１１０に所定量の洗浄水を供給する。
【００４１】
これにより、吐水ノズル１１０は、図１０および図１１にそれぞれ示すように、下方吐出口１１２および側方吐出口１１３からそれぞれ洗浄水が吐出される。これらのうち、下方吐出口１１２から吐出された洗浄水は、ボウル部１０４における下側斜面部１０７上の左右方向に広がりながら流れ落ちて汚物を排出口１０７ａに向けて洗い流す。なお、図１０および図１１においては、洗浄水が流れる様子を破線矢印で示している。
【００４２】
一方、左右の側方吐出口１１３からそれぞれ吐出された洗浄水は、段部１０６および下側斜面部１０７にそれぞれ沿って前端部側に流れる。この場合、洗浄水は、ボウル部１０４の前端部に流れる過程において、その一部が下側斜面部１０７を下方に流れ落ちて汚物を洗い流す。また、洗浄水における他の一部は、ボウル部１０４の前端部における段部１０６および下側斜面部１０７にそれぞれ到達する。
【００４３】
この場合、ボウル部１０４内における右側から流れてきた洗浄水と左側から流れてきた洗浄水とは、前端部において互いに衝突して合流しボウル部１０４内の内側に盛り上がって流れた後、下側斜面部１０７の前端部側から排出口１０７ａ側に流れ落ちる。これらにより、洗浄水は、ボウル部１０４内の汚れを排出口１０７ａに向けて洗い流すことができる。そして、排出口１０７ａに流れた洗浄水は、フラッパ１０８が開くことで便槽に流される。
【００４４】
上記作動説明からも理解できるように、上記実施形態によれば、洋式便器１００は、ボウル部１０４内における後端部の左右方向中央部に左右方向および下方に向けてそれぞれ洗浄水を吐出する吐水ノズル１１０を設けているため、従来の便器よりも各吐出口における洗浄水の吐出力を下げることができ吐出部分に近い部分の洗浄効果を高めることができるとともに、ボウル部１０４内の前端部の中央部に左右方向からそれぞれ流れてくる洗浄水の衝突によって吐水ノズル１１０から最も離れた部分の洗浄効果も高めることができる。
【００４５】
さらに、本考案の実施にあたっては、上記実施形態に限定されるものではなく、本考案の目的を逸脱しない限りにおいて種々の変更が可能である。
【００４６】
例えば、上記実施形態においては、ボウル部１０４は、上側平面部１０５と下側斜面部１０７とで構成した。しかし、ボウル部１０４は、上側平面部１０５を省略して便座載置部１０３の下方に直接下側斜面部１０７を形成してもよい。
【００４７】
また、上記実施形態においては、ボウル部１０４は、上側平面部１０５と下側斜面部１０７との間に段部１０６を有して構成した。しかし、ボウル部１０４は、段部１０６を省略して上側平面部１０５と下側斜面部１０７とを直接繋げて構成してもよい。
【００４８】
また、上記実施形態においては、段部１０６は、ボウル部１０４の後端部側から前端部側に向かって傾斜するとともに張り出し幅が狭くなるように形成されている。しかし、段部１０６は、ボウル部１０４の後端部側から前端部側に向かって一定の高さで延びて形成されていてもよいとともに、張り出し幅も一定の幅で形成されていてもよい。
【００４９】
また、上記実施形態においては、吐水ノズル１１０は、ボウル部１０４に対して回転摺動可能なはめあいで着脱自在に取り付けた。しかし、吐水ノズル１１０は、ボウル部１０４に対して回転摺動不能な状態で着脱自在に取り付けられていてもよいし、ボウル部１０４に対して着脱不能な状態で固定的に取り付けられていてもよい。
【００５０】
また、上記実施形態においては、便器本体１０１は、ＦＲＰ製で構成した。しかし、便器本体１０１は、ＦＲＰ材以外の樹脂製または陶器製であってもよい。
【００５１】
また、上記実施形態においては、洋式便器１００は、仮設トイレに設置した例について説明した。しかし、本考案に係る洋式便器１００は、屋内のトイレに設置されるものであってもよい。
【００５２】
１００…洋式便器、１０１…便器本体、１０２…空洞部、１０３…便座載置部、１０４…ボウル部、１０５…上側平面部、１０５ａ…貫通孔、１０６…段部、１０７…下側斜面部、１０７ａ…排出口、１０８…フラッパ、１０８ａ…開閉機構、１０８ｂ…フラッパ台座、１０８ｃ…汚物配管、
１１０…吐水ノズル、１１１…導水部、１１２…下方吐出口、１１３…側方吐出口、１１４…給水管、
１２０…便フタ。
【図１】
0003212338.tif 000003
【図２】
0003212338.tif 000004
【図３】
0003212338.tif 000005
【図４】
0003212338.tif 000006
【図５】
0003212338.tif 000007
【図６】
0003212338.tif 000008
【図７】
0003212338.tif 000009
【図８】
0003212338.tif 000010
【図９】
0003212338.tif 000011
【図１０】
0003212338.tif 000012
【図１１】
0003212338.tif 000013
【手続補正書】
【提出日】平成29年7月5日(2017.7.5)
【手続補正１】
【補正対象書類名】実用新案登録請求の範囲
【補正対象項目名】請求項５
【補正方法】変更
【補正の内容】
【請求項５】
請求項３または請求項４に記載した洋式便器において、
前記段部は、
前記吐水ノズル側から前端部に向かって突出幅が狭く形成されていることを特徴とする洋式便器。